(57)【要約】【課題】端末処理が簡単で、外部からの力により表皮材の端末が外れにくく、長期間の使用で弱くならない、長寿命の表皮材端末処理部材を提供する。【解決手段】表皮材２４でクッション材２３を被覆したシート部品の表皮材端末処理部材１０であって、表皮材２４ａ端末に固定される係止プレート１７と係止プレート１７を格納する係止クリップ１１を備える。係止クリップ１１は、表皮材２４ａ端末と異なる位置に固定される第一の壁部１２，第一の壁部１２に対向する第二の壁部１４，両壁部１２，１４を連結する連結部１３を備える。第二の壁部１４端部には、鋭角に折曲され係止プレート１７の一端側と当接する係止爪１６が、第一の壁部１２には、係止プレート１７の他端側と当接する突起１５が、立設される。突起１５は、係止プレート１７の第一の壁部１２当接位置の開口１９側に設けられている。【選択図】図３
2008188358.tif 000002
【特許請求の範囲】
【請求項１】
クッション材を表皮材で被覆したシート部品の表皮材端末処理部材であって、
前記表皮材の端末に固定される係止プレートと、該係止プレートを内部の間隙に格納する係止クリップと、を備え、
前記係止クリップは、前記端末とは異なる所定位置に固定される第一の壁部と、該第一の壁部に向かい合って配置される第二の壁部と、該第二の壁部と前記第一の壁部に挟まれた前記間隙の少なくとも一端側が開口となるように、前記第一の壁部と前記第二の壁部とを連結する連結部と、を備え、
前記第二の壁部の前記開口側端部には、前記第一の壁部側へ鋭角に折曲され前記係止プレートの一端側と当接する係止爪が立設され、
前記第一の壁部の前記第二の壁部側の面には、前記係止プレートの他端側と当接する突起が立設され、
前記突起は、前記係止プレートの他端側が前記第一の壁部に当接する位置の前記開口側に設けられていることを特徴とする表皮材端末処理部材。
【請求項２】
前記第一の壁部は、前記突起より前記連結部側の部分が、前記開口側の部分よりも厚く形成されていることを特徴とする請求項１に記載の表皮材端末処理部材。
【請求項３】
前記突起から、前記第一の壁部の前記連結部側の部分及び前記連結部を経て、前記第二の壁部の前記連結部側の部分に至るまでの部分の厚みが、前記第一の壁部及び第二の壁部の前記開口側の部分よりも厚く形成されていることを特徴とする請求項１に記載の表皮材端末処理部材。
【請求項４】
前記係止爪の高さは、前記係止プレートの一端側の厚み以上であることを特徴とする請求項１に記載の表皮材端末処理部材。
【請求項５】
前記突起は、前記係止プレートの他端側を支持する支持面を有し、該支持面は、前記係止爪よりも前記連結部側に配置されることを特徴とする請求項１に記載の表皮材端末処理部材。
【請求項６】
前記支持面上には、衝撃吸収材が設置されていることを特徴とする請求項５に記載の表皮材端末処理部材。
【請求項７】
前記突起は、断面略三角形状であって、前記連結部側斜面の傾斜が前記開口側斜面の傾斜よりも急であることを特徴とする請求項１に記載の表皮材端末処理部材。
【請求項８】
前記開口側斜面は、断面円弧状の曲面からなることを特徴とする請求項７に記載の表皮材端末処理部材。
【請求項９】
前記所定位置は、前記端末とは異なる前記表皮材の端末又は前記シート部品の支持プレートであることを特徴とする請求項１に記載の表皮材端末処理部材。
【請求項１０】
クッション材を表皮材で被覆したシート部品であって、請求項１乃至９いずれか記載の前記表皮材端末処理部材を備えることを特徴とするシート部品。
【請求項１１】
支持プレート及び該支持プレートに支持されたクッション材が、表皮材で被覆されたシート部品であって、
前記支持プレートの外周には、前記表皮材の端末に固定される係止プレートと、前記支持プレート外周に一体形成され、前記係止プレートを内部の間隙に格納する溝状の係止クリップ部と、を備えた表皮材端末処理部が設けられ、
前記係止クリップ部は、第一の壁部と、該第一の壁部の前記支持プレート外周側に前記第一の壁部に向かい合って形成された第二の壁部と、該第二の壁部と前記第一の壁部に挟まれた前記間隙の一端が開口となるように、前記第一の壁部と前記第二の壁部とを連結する連結部と、を備え、
前記第二の壁部の前記開口側端部には、前記第一の壁部側へ鋭角に折曲され前記係止プレートの一端側と当接する係止爪が立設され、
前記第一の壁部の前記第二の壁部側の面には、前記係止プレートの他端側と当接する突起が立設され、
前記突起は、前記係止プレートの他端側が前記第一の壁部に当接する位置よりも前記開口側に設けられていることを特徴とするシート部品。
【請求項１２】
請求項１０又は１１記載の前記シート部品を備えることを特徴とする車両用シート。
【発明の詳細な説明】
【技術分野】
【０００１】
本発明は表皮材端末処理部材，シート部品及び車両用シートに係り、特にクッション材を被覆する表皮材の端末を接合するための表皮材端末処理部材及びこの表皮材端末処理部材を備えたシート部品及び車両用シートに関する。
【背景技術】
【０００２】
一般的に、車両用シートのシートクッション（座部），シートバック，アームレスト，ヘッドレスト等シート部品の表面は、複数枚の表皮材をつなぎ合わせて構成されている。これらの表皮材は、クッション材等に被せられた後、端末処理が施されて固定されている。
表皮材の端末処理の技術として、例えばヘッドレストの場合には、トリムカバーの前面側及び後面側端末を係止クリップにより連結するトリム端末固定構造が提案されている（例えば、特許文献１参照）。
【０００３】
特許文献１に記載の構造は、係止クリップは、略ｈ字状に形成されており、前方へ伸長するトリム固定部と、トリム固定部の後端部から下方へ逆Ｌ字状に折曲する係止部と、トリム固定部の後端部からまっすぐ後方へ伸張するボード固定部とを備えている。トリムカバーの一端部は、係止クリップのトリム固定部に縫着され、トリムカバーの他端部には、板体からなる係止プレートが縫着されている。係止クリップは、ヘッドレスト内のパッドに埋設されたボードに当てがわれ、係止クリップのボード固定部でステープルによりボードに固定される。係止プレートが、係止クリップの係止部に差込み係止されることにより、トリムカバーの両端部が固定される。
【０００４】
このように構成されているので、トリムカバーの両端末処理を簡単に行うことができる。また、係止クリップがボードに固定されているので、トリムカバーが寒暖等により縮んでも係止クリップが引っ張り移動されないので、係止プレートのてこ作用が少なくて係止部が開きにくくなり、係止プレートから外れにくくなる。
【０００５】
また、例えばシートバックの場合には、パッド材を被覆する袋状のトリムカバー１０１の前面側及び背面側端末１０１ａ，１０１ｂを、シートバックの背面側下方で連結する端末処理構造が提案されている（例えば、特許文献２参照）。
特許文献２に記載の構造では、図７に示すように、シートバック下方で左右方向に配置されるシートバックフレームの下部フレーム１０６から背面側に延設された先端部に、下部フレーム１０６と略平行する係合部１０７を有する係合ワイヤ１０８が設けられている。トリムカバー１０１の前面側端末１０１ａには、係合部１０７に引っ掛け係止される係合溝１０３を有する略下向きコ字状の樹脂製フック１０２が設けられている。また、トリムカバー１０１の背面側端末１０１ｂに、板状係止片１０５が、縫製されて設けられている。板状係止片１０５は、樹脂製フック１０２の係合溝１０３内に上方から回り込んで係入させることにより掛け止めされている。
【０００６】
そして、樹脂製フック１０２の係合溝１０３を形成する二つの壁部のうち、一方は短く形成され、短く形成された壁部の先端には係止爪１０４が形成されている。係止爪１０４は、係合溝１０３内に板状係止片１０５を係入した場合に、下端を係止する。また、板状係止片１０５の先端は略Ｌ字状に屈折されている。
このように構成されているので、袋状のトリムカバーの前面側端末と背面側端末とを極めて簡単に接合でき、また端末処理部の外観性を向上できる。更に、ホックリングを用いて端末処理した場合にトリムカバーの脱着に必要となる専用工具が、特許文献２記載の構造では不要になり、脱着が簡単になる。
【０００７】
【特許文献１】実公平７−５３５５４号公報（第３−４欄、第１，３図）
【特許文献２】特開平６−２７７３７３号公報（第５−６頁、図１，８）
【発明の開示】
【発明が解決しようとする課題】
【０００８】
しかしながら、特許文献１のトリム端末固定構造では、係止プレートが係止部内に差し込まれただけであって係止プレートと係止部内壁との間に遊びがある。従って、何らかの理由で、外部からトリムカバーに、係止プレートを係止部内から引き出す方向の力がかかった場合、係止プレートが係止部から抜け出そうとして係止部内で斜めになり、係止部を押し広げ、その結果係止プレートが係止部から外れ易くなるという問題があった。
【０００９】
特許文献２の端末処理構造は、上記特許文献１の問題点を解決するよう、係止爪１０４を備えると共に板状係止片１０５が略Ｌ字状に屈折され、板状係止片１０５と係合溝１０３内壁との間の遊びを少なくするよう斜めに配設されるものである。しかし、この特許文献２に記載の樹脂製フック１０２でも、依然として板状係止片１０５が係止爪１０４から外れ易く、トリムカバー１０１の前面側及び背面側端末１０１ａ，１０１ｂの連結が外れてしまうという問題があった。
【００１０】
本発明は、上記事情に鑑みてなされたものであって、その目的は、表皮材の端末処理が簡単で、外部からの力によって表皮材の端末が外れにくく、長期間の使用によっても弱くならない、長寿命で強度の強い表皮材端末処理部材を提供することにある。
【課題を解決するための手段】
【００１１】
前記課題は、請求項１に係る表皮材端末処理部材によれば、クッション材を表皮材で被覆したシート部品の表皮材端末処理部材であって、前記表皮材の端末に固定される係止プレートと、該係止プレートを内部の間隙に格納する係止クリップと、を備え、前記係止クリップは、前記端末とは異なる所定位置に固定される第一の壁部と、該第一の壁部に向かい合って配置される第二の壁部と、該第二の壁部と前記第一の壁部に挟まれた前記間隙の少なくとも一端側が開口となるように、前記第一の壁部と前記第二の壁部とを連結する連結部と、を備え、前記第二の壁部の前記開口側端部には、前記第一の壁部側へ鋭角に折曲され前記係止プレートの一端側と当接する係止爪が立設され、前記第一の壁部の前記第二の壁部側の面には、前記係止プレートの他端側と当接する突起が立設され、前記突起は、前記係止プレートの他端側が前記第一の壁部に当接する位置の前記開口側に設けられていること、により解決される。
【００１２】
このように、係止プレートの一端側と当接する係止爪が鋭角であり、かつ係止プレートの他端側と当接する突起が、係止プレートの他端側が第一の壁部に当接する位置の開口側に設けられているので、係止プレートを、係止クリップ内部の間隙に遊びがない状態で斜めに固定でき、係止プレートが係止クリップ内でがたつくことに起因して係止クリップから外れ易くなることを防止できる。
また、係止爪が鋭角であるため、係止プレートが係止爪に安定して係止され、係止爪から外れにくくなる。係止プレートの他端側と当接する突起が、係止プレートの他端側が第一の壁部に当接する位置の開口側に設けられているので、外部からの力により係止プレートが動いたり回動したりすることを防止できると共に、係止プレートの一端側を常に係止爪に向けることができ、係止プレートが係止爪から外れにくくすることができる。
その結果、表皮材の端末が外れにくい表皮材の端末処理構造とすることが可能となる。
【００１３】
更に、表皮材の端末に固定される係止プレートと、前記端末とは異なる所定位置に固定され、係止プレートを内部の間隙に格納する係止クリップと、を備えた構造であるため、係止プレートを係止クリップに係止させるだけで、表皮材の端末の接合を行うことができ、接合及び取外しが簡易な表皮材端末処理部材とすることができる。
【００１４】
また、前記第一の壁部は、前記突起より前記連結部側の部分が、前記開口側の部分よりも厚く形成されていてもよい。
このように構成することにより、外部からの力により係止プレートが動いて係止クリップの間隙を押し広げる方向に力がかかっても、係止クリップの間隙が広がることを防止できる。その結果、係止クリップの間隙が広がって係止プレートが係止爪から外れ、係止クリップ外に出てしまうことを防止できる。また、係止クリップの間隙が広がりにくくなるので、連結部と第一の壁部及び第二の壁部とが連続する部分が白化して弱くなることを防止でき、長期間使用しても強度が下がらない長寿命の表皮材端末処理部材とすることができる。
【００１５】
更に、前記突起から、前記第一の壁部の前記連結部側の部分及び前記連結部を経て、前記第二の壁部の前記連結部側の部分に至るまでの部分の厚みが、前記第一の壁部及び第二の壁部の前記開口側の部分よりも厚く形成されていてもよい。
このように構成することにより、外部からの力により係止プレートが動いて係止クリップの間隙を押し広げる方向に力がかかっても、係止クリップの間隙が広がることを防止できる。その結果、係止クリップの間隙が広がって係止プレートが係止爪から外れ、係止クリップ外に出てしまうことを防止できる。また、係止クリップの間隙が広がりにくくなるので、連結部と第一の壁部及び第二の壁部とが連続する部分が白化して弱くなることを防止でき、長期間使用しても強度が下がらない長寿命の表皮材端末処理部材とすることができる。
【００１６】
また、前記係止爪の高さは、前記係止プレートの一端側の厚み以上であると好適である。
このように形成することにより、係止プレートの一端側を安定して係止爪で支持することができる。
また、前記突起は、前記係止プレートの他端側を支持する支持面を有し、該支持面は、前記係止爪よりも前記連結部側に配置されていてもよい。
このように、支持面が、係止爪よりも連結部側に配置されているので、突起の支持面と係止爪とで係止プレートを安定して支持でき、外部からの力により係止プレートが動いたり回動したりすることを防止できると共に、係止プレートの一端側を常に係止爪に向けることができ、係止プレートが係止爪から外れにくくすることができる。
【００１７】
前記支持面上には、衝撃吸収材が設置されていてもよい。
このように構成されていることにより、衝撃吸収材が係止プレートの動きを吸収するので、更に係止プレートを係止クリップ内で動きにくくすることができ、係止プレートを更に安定して係止クリップ内で支持することができる。
【００１８】
前記突起は、断面略三角形状であって、前記連結部側斜面の傾斜が前記開口側斜面の傾斜よりも急に構成されていてもよい。
このように構成することにより、比較的傾斜が急な連結部側斜面で安定して係止プレートを支持できると共に、比較的傾斜が緩やかな開口側斜面があることにより、突起が薄肉になることを防止でき、突起の強度を保つことができる。
前記開口側斜面は、断面円弧状の曲面からなるように構成してもよい。
このように構成されていることにより、開口側斜面が、係止プレートを係止クリップ内部の間隙に挿入する際のガイドとなるため、係止プレートの挿入作業性を向上することが可能となる。
【００１９】
前記所定位置は、前記端末とは異なる前記表皮材の端末又は前記シート部品の支持プレートであるように構成されていてもよい。
このように構成することにより、本発明の表皮材端末処理部材を用いて、袋状表皮材の一端末を他端末に接合することや、表皮材の端末をシート部品の支持プレートに固定することが可能となる。
【００２０】
クッション材を表皮材で被覆したシート部品であって、請求項１乃至９いずれか記載の前記表皮材端末処理部材を備えていてもよい。
このように構成することにより、外部から力がかかっても係止プレートが係止クリップから外れにくく、表皮材端末が外れにくいと共に長寿命の表皮材端末構造を備えたシート部品を得ることができる。
【００２１】
前記課題は、請求項１１に係るシート部品によれば、支持プレート及び該支持プレートに支持されたクッション材が、表皮材で被覆されたシート部品であって、前記支持プレートの外周には、前記表皮材の端末に固定される係止プレートと、前記支持プレート外周に一体形成され、前記係止プレートを内部の間隙に格納する溝状の係止クリップ部と、を備えた表皮材端末処理部が設けられ、前記係止クリップ部は、第一の壁部と、該第一の壁部の前記支持プレート外周側に前記第一の壁部に向かい合って形成された第二の壁部と、該第二の壁部と前記第一の壁部に挟まれた前記間隙の一端が開口となるように、前記第一の壁部と前記第二の壁部とを連結する連結部と、を備え、前記第二の壁部の前記開口側端部には、前記第一の壁部側へ鋭角に折曲され前記係止プレートの一端側と当接する係止爪が立設され、前記第一の壁部の前記第二の壁部側の面には、前記係止プレートの他端側と当接する突起が立設され、前記突起は、前記係止プレートの他端側が前記第一の壁部に当接する位置よりも前記開口側に設けられていること、により解決される。
【００２２】
このように、係止プレートの一端側と当接する係止爪が鋭角であり、かつ係止プレートの他端側と当接する突起が、係止プレートの他端側が第一の壁部に当接する位置の開口側に設けられているので、係止プレートを、係止クリップ部内の間隙に遊びがない状態で斜めに固定でき、係止プレートが係止クリップ部内でがたつくことに起因して係止クリップ部から外れ易くなることを防止できる。
また、係止爪が鋭角であるため、係止プレートが係止爪に安定して係止され、係止爪から外れにくくなる。係止プレートの他端側と当接する突起が、係止プレートの他端側が第一の壁部に当接する位置の開口側に設けられているので、外部からの力により係止プレートが動いたり回動したりすることを防止できると共に、係止プレートの一端側を常に係止爪に向けることができ、係止プレートが係止爪から外れにくくすることができる。
その結果、表皮材の端末が外れにくい表皮材の端末処理構造を備えたシート部品とすることが可能となる。
【００２３】
更に、表皮材の端末に固定される係止プレートと、前記端末とは異なる所定位置に固定され、係止プレートを内部の間隙に格納する係止クリップ部と、を備えた構造であるため、係止プレートを係止クリップ部に係止させるだけで、表皮材の端末の接合を行うことができ、接合及び取外しが簡易な表皮材端末処理構造を備えたシート部品とすることができる。
【００２４】
また、請求項１０又は１１記載の前記シート部品を備える車両用シートとして構成としてもよい。
このように構成することにより、外部から力がかかっても表皮材端末が外れにくいと共に長寿命の表皮材端末構造を備えた車両用シートを得ることができる。
【発明の効果】
【００２５】
請求項１の発明によれば、係止プレートの一端側と当接する係止爪が鋭角であり、かつ係止プレートの他端側と当接する突起が、係止プレートの他端側が第一の壁部に当接する位置の開口側に設けられているので、係止プレートを、係止クリップ内部の間隙に遊びがない状態で斜めに固定でき、係止プレートが係止クリップ内でがたつくことに起因して係止クリップから外れ易くなることを防止できる。
また、係止爪が鋭角であるため、係止プレートが係止爪に安定して係止され、係止爪から外れにくくなる。係止プレートの他端側と当接する突起が、係止プレートの他端側が第一の壁部に当接する位置の開口側に設けられているので、外部からの力により係止プレートが動いたり回動したりすることを防止できると共に、係止プレートの一端側を常に係止爪に向けることができ、係止プレートが係止爪から外れにくくすることができる。
その結果、表皮材の端末が外れにくい表皮材の端末処理構造とすることが可能となる。
【００２６】
更に、表皮材の端末に固定される係止プレートと、前記端末とは異なる所定位置に固定され、係止プレートを内部の間隙に格納する係止クリップと、を備えた構造であるため、係止プレートを係止クリップに係止させるだけで、表皮材の端末の接合を行うことができ、接合及び取外しが簡易な表皮材端末処理部材とすることができる。
【００２７】
また、前記第一の壁部は、前記突起より前記連結部側の部分が、前記開口側の部分よりも厚く形成されていてもよい。
このように構成することにより、外部からの力により係止プレートが動いて係止クリップの間隙を押し広げる方向に力がかかっても、係止クリップの間隙が広がることを防止できる。その結果、係止クリップの間隙が広がって係止プレートが係止爪から外れ、係止クリップ外に出てしまうことを防止できる。また、係止クリップの間隙が広がりにくくなるので、連結部と第一の壁部及び第二の壁部とが連続する部分が白化して弱くなることを防止でき、長期間使用しても強度が下がらない長寿命の表皮材端末処理部材とすることができる。
【発明を実施するための最良の形態】
【００２８】
以下、本発明の実施形態について、図を参照して説明する。なお、以下に説明する部材、配置等は、本発明を限定するものではなく、本発明の趣旨に沿って各種改変することができることは勿論である。
図１〜図４は本発明の一実施形態に係るものであり、図１は本発明の一実施形態に係る表皮材端末処理部材が適用される車両用シートの概略斜視図、図２は本発明の一実施形態に係る表皮材端末処理部材が適用されるシートバックの側面図で、一部断面を示す図、図３は図２の表皮材端末処理部材の要部拡大図、図４は本発明の一実施形態に係る係止クリップの断面図である。
【００２９】
本実施形態は、シート部品としてのシートバック２の表皮材端末処理部材に関する発明である。本実施形態は、シート部品としてシートバック２に基づいて説明するが、これに限らず、シートクッション１，ヘッドレスト３，アームレスト４等、種々のシート部品に同様に適用可能である。また、シート部品であれば、自動車の運転席，助手席，後部座席に拘らず適用可能である。
更に、クッション材等を表皮材で被覆したシートであればどのようなシートにも適用可能であり、自動車用シート，オートバイ用シート，船舶用シート，自転車用サドル，チャイルドシート等、乗物用シートのほか、室内等で使用される椅子にも適用可能である。
【００３０】
本実施形態のシートバック２は、車両用シートＳの部品であって、図１に示すように、シートクッション１，シートバック２，ヘッドレスト３及びアームレスト４から構成されて、シートクッション１の背面側に立設されている。
本実施形態のシートバック２は、図２に示すように、シートバック２の枠組を構成するフレーム２１と、フレーム２１に固定された略矩形平板状の支持プレートとしてのベースプレート２２と、ベースプレート２２上に載置され乗員の背部を支持する略矩形板状体のクッション材２３と、これらフレーム２１，ベースプレート２２，クッション材２３を被覆する表皮材２４と、から構成されている。
【００３１】
フレーム２１は、中空円筒体の金属製パイプが略矩形の枠体に形成された公知のシートバック用フレームからなる。ベースプレート２２は公知の樹脂によって形成されたシートバック用ベースプレートから構成され、クッション材２３は、公知の樹脂発泡体等によって形成されたクッション材から構成されている。
【００３２】
表皮材２４は、ファブリック，本革，合成皮革等の公知の材料から構成されている。表皮材２４は、シートバック２の前面側，側面側，上面側及び下面側を被覆する前面側表皮材２４ａと、背面側を被覆する背面側表皮材２４ｂとが、シートバック２背面側上方の縫合部で縫合されており、フレーム２１，ベースプレート２２，クッション材２３を包み込むよう、袋状に形成されている。本実施形態の前面側表皮材２４ａは、前面側，上面側及び下面側の表皮材と側面側の表皮材を縫合したもので、前面側の表皮材の両側で側面側の表皮材を縫合している。また、前面側表皮材２４ａと背面側表皮材２４ｂとは同じ素材から構成してもよいし、前面側表皮材２４ａを本革や合成皮革等で構成し、背面側表皮材２４ｂをニードルパンチ等から構成するなど、異なる素材で構成してもよい。なお、本実施形態の前面側表皮材２４ａは、図３に示すように、表面側を本革とし本革の下地層として発泡製シートの２層から構成されているが、これに限定されるものではない。
【００３３】
前面側表皮材２４ａと背面側表皮材２４ｂの端末は、図２に示すように、シートバック２の背面側下方で表皮材端末処理部材１０により互いに連結して端末処理が行なわれている。本実施形態の場合、背面側表皮材２４ｂの端末が、特許請求の範囲の「前記端末とは異なる前記表皮材の端末」に該当する。
なお、本実施形態では、前面側表皮材２４ａと背面側表皮材２４ｂの端末がシートバック２の背面側下方に位置するように構成しているが、表皮材２４を、縫合部がシートバック２背面側下方に配置し、シートバック２背面側上方が開口となった袋状に形成して、前面側表皮材２４ａと背面側表皮材２４ｂの端末がシートバック２の背面側上方で表皮材端末処理部材１０により連結して端末処理を行なうように構成してもよい。
【００３４】
次に、表皮材端末処理部材１０について、図３及び図４を参照して、より詳細に説明する。図３は、図２の表皮材端末処理部材１０の要部拡大図であって、表皮材端末処理部材１０の縦断面図である。
表皮材端末処理部材１０は、係止クリップ１１と係止プレート１７とから構成され、図３に示すように、係止クリップ１１は樹脂製の長尺物で断面略Ｊ字状に形成され、背面側表皮材２４ｂの端末に沿って長く配設され、係止プレート１７は樹脂製の長尺板体で前面側表皮材２４ａの端末に沿って長く配設される。
係止クリップ１１は、略板状の第一の壁部１２と、第一の壁部１２と平行に向かい合って配置された略板状の第二の壁部１４と、第一の壁部１２と第二の壁部１４の端部を連結する連結部１３と、が一体に形成された形状からなる。
第一の壁部１２，連結部１３，第二の壁部１４に囲まれた間隙１８は、図４に示すように、係止プレート１７を格納する内部空間となっており、間隙１８の連結部１３逆側は、係止プレート１７等を間隙１８内に挿入するための開口１９となっている。
【００３５】
第一の壁部１２には、第二の壁部１４に対向する面に、断面略三角形状の突起１５が、係止クリップ１１の長さ方向（即ち背面側表皮材２４ｂに沿った方向）に亘って形成されている。図４に示すように、突起１５は、頂線１５ｃを中央にして、連結部１３側の斜面１５ａと、開口１９側の斜面１５ｂとを備えている。
斜面１５ａは略平面で構成され、係止プレート１７が当接して係止プレート１７の他端側を支持する支持面としての役割を果たすものである。斜面１５ｂは、第二の壁部１４逆側へ凸となった断面円弧状の滑らかな曲面からなる。
斜面１５ｂが、第二の壁部１４逆側へ凸となった断面円弧状の滑らかな曲面として形成されているため、斜面１５ｂが係止プレート１７を間隙１８に挿入する際のガイドとなって、係止プレート１７を挿入し易くなり、挿入作業性を向上することが可能となる。
突起１５を構成するすべての面及び線，すなわち斜面１５ａ，斜面１５ｂ，頂線１５ｃは、係止クリップ１１の長さ方向（即ち背面側表皮材２４ｂに沿った方向）に亘って、係止爪１６の内側の面１６ａと対向して略平行に伸びている。従って、係止プレート１７の両端側を、互いに対向する略平行な突起１５と係止爪１６の内側の面１６ａとで支持できるので、係止プレート１７が係止クリップ１１内で回動することを防ぐことができる。
【００３６】
図４に示すように、斜面１５ａ及び斜面１５ｂの頂線１５ｃ付近の接面と、第一の壁部１２の間隙１８側の面との角度ａ１，ａ２は、本実施形態ではそれぞれ４５°，３０°であり、ａ１がａ２より大きくなるように形成されている。つまり、斜面１５ａの傾斜は、斜面１５ｂの傾斜よりも急になっている。
従って、斜面１５ａに十分な傾斜を持たせることができると同時に突起１５が薄肉になることを防止できるので、突起１５の強度を保ちつつ、係止プレート１７が斜面１５ａから徐々にずれることを防止でき、長期間使用しても係止プレート１７が外れにくい表皮材端末処理部材１０とすることが可能となる。
【００３７】
また、突起１５は、斜面１５ａが、第二の壁部１４に形成された係止爪１６よりも連結部１３側の位置になるように形成されている。このように構成されているので、係止プレート１７を係止クリップ１１内部で支持することが可能となる。
【００３８】
また、第一の壁部１２のうち、突起１５より連結部１３側の部分は、厚肉部１２ａとして形成され、突起１５より開口１９側の薄肉部１２ｂよりも厚くなるように形成されている。係止プレート１７を支持する連結部１３側の部分が厚くなっているため、係止プレート１７により係止クリップ１１を押し広げるＦ方向に力がかかっても、係止クリップ１１の口が広がることを防止できる。更に、薄肉部１２ｂの厚みは依然として薄いため、背面側表皮材２４ｂが係止クリップ１１内に入る第一の壁部１２の先端１２ｃで背面側表皮材２４ｂが大きく盛り上ることがなく、表皮材端末処理部材１０設置箇所の外観性も維持することができる。
また、斜面１５ｂの傾斜が斜面１５ａの傾斜よりも緩やかに形成されており、斜面１５ｂによって、第一の壁部１２が、薄肉部１２ｂ側に向かって緩やかに薄くなるように構成されているので、第一の壁部１２の厚みが急に薄くなる箇所がなく、厚みが変化する箇所の強度が弱くなることがない。
【００３９】
第二の壁部１４は、前面側表皮材２４ａの端末に垂直な方向の長さが第一の壁部１２よりも短くなるように形成され、また、連結部１３側が厚く、開口１９側に向かうに従って徐々に厚みが薄くなるように形成されている。連結部１３側が厚く形成されているので、係止プレート１７により係止クリップ１１を押し広げるＦ方向の力がかかっても、係止クリップ１１の口が広がることを防止できる。
また、第二の壁部１４の開口１９側の先端は、鋭角に折曲げられており、折返された部分が係止プレート１７の一端側と当接する係止爪１６となっている。
【００４０】
本実施形態では、第二の壁部１４の間隙１８側の面から係止爪１６までの高さ（以下、「係止爪１６の高さ」とする）は０．８ｍｍ以上，好ましくは１．８〜２．２ｍｍ程度に形成されている。係止爪１６の高さは、係止プレート１７の一端側の厚み以上に形成されていると、外力により係止プレート１７に力がかかったときにも、鋭角に形成された係止爪１６が係止プレート１７に覆い被さるようになり、係止プレート１７の一端側が係止爪１６の先端を越えることを阻止するので、係止プレート１７の一端側を係止爪１６で安定して支持でき好ましい。
【００４１】
連結部１３は、第一の壁部１２及び第二の壁部１４の各端部に連続している。なお、本実施形態では、連結部１３が第一の壁部１２及び第二の壁部１４の各端部を連結しているが、第一の壁部１２，連結部１３，第二の壁部１４に囲まれた間隙１８がコの字形状に形成されていればよく、これに限定されるものではない。第一の壁部１２と第二の壁部１４の各中央等、端部以外の位置で第一の壁部１２と第二の壁部１４とを連結し、表皮材端末処理部材１０を、Ｈ字状，ｈ字状として形成してもよい。
第一の壁部１２の厚肉部１２ａから連結部１３を経て第二の壁部１４に達するまでの部分の厚みは、略一定した同じ厚みとなっており、第一の壁部１２の薄肉部１２ｂ及び第二の壁部１４の開口１９側付近の厚みよりも厚く形成されている。従って、係止プレート１７により係止クリップ１１を押し広げるＦ方向の力がかかっても、係止クリップ１１の口が広がることを防止できる。
係止プレート１７は、厚さ２ｍｍ以下，好ましくは０．８〜１．２ｍｍの樹脂製の長尺板体からなり、前面側表皮材２４ａの端末に垂直な方向の幅が、係止クリップ１１の第二の壁部１４の幅よりも若干短く形成されている。
【００４２】
係止クリップ１１の第一の壁部１２の間隙１８側の面には、図３に示すように、糸２６ｂにより背面側表皮材２４ｂの端末付近が縫着され、背面側表皮材２４ｂの端末は、第一の壁部１２の内側の面に沿って伸ばされ、突起１５よりも連結部１３側の位置まで達するように配置されている。
また、係止プレート１７には、糸２６ａにより前面側表皮材２４ａの端末付近が縫着されている。係止プレート１７は、係止クリップ１１の間隙１８内で、一端側を係止爪１６に支持され、他端側を第一の壁部１２の突起１５及び厚肉部１２ａに支持されている。また、突起１５及び厚肉部１２ａと係止プレート１７との間には、背面側表皮材２４ｂが配置されており、係止プレート１７を係止クリップ１１内でずれにくくする衝撃吸収材としての役割を果たしている。
【００４３】
なお、本実施形態では、表皮材端末処理部材１０で袋状の表皮材２４の端末同士を連結していたが、本実施形態の他の例として、表皮材端末処理部材１０で、前面側表皮材２４ａの外周の端末と、ベースプレート２２の背面側に固着されたプレートカバーの外周の端末とをそれぞれ互いに連結して、第一の壁部１２をベースプレート２２に固定するように構成してもよい。つまり、ベースプレート２２の背面に予めニードルパンチ等、公知の表皮材料からなるプレートカバーを縫着するが、このプレートカバーの縦横の長さを、ベースプレート２２の背面よりも若干大きく形成して、ベースプレート２２の背面全体を被覆するように固着し、四方の端末をベースプレート２２よりはみ出す自由端とする。そして、プレートカバーの外周端末を、それぞれ係止クリップ１１の薄肉部１２ｂに縫着する。
【００４４】
また、前面側表皮材２４ａ外周の端末は、それぞれ係止プレート１７に縫着し、この係止プレート１７を、前述と同様に、係止クリップ１１に係止し、前面側表皮材２４ａとプレートカバー３１の端末を連結する。
なお、本実施形態では、係止クリップ１１の第一の壁部１２は、プレートカバー３１の端末を縫着することによりベースプレート２２側に固定されているが、これに限定されず、ベースプレート２２の背面に直接ボルト止めや溶接により固定されていてもよい。
【００４５】
更に、本実施形態及び上記他の例では、略Ｊ字状の係止クリップ１１を用いていたが、更に他の例として、図５に示すように、係止クリップ１１を用いる代わりに、ベースプレート２２の外周に溝状の係止クリップ部４１を形成し、前面側表皮材２４ａの端末を係止クリップ部４１と係止プレート１７とからなる表皮材端末処理部で処理するように構成してもよい。図５は、本発明の更に他の例に係る表皮材端末処理部材が適用されるシートバックの側面図で、一部断面を示す図、図６は図５の表皮材端末処理部の要部拡大図である。
本実施形態では、ベースプレート２２の周縁部に、図６に示すような溝状の係止クリップ部４１が、ベースプレート２２の外周形状に沿って一体に形成されている。
係止クリップ部４１内面の構造は、図３の係止クリップ１１の内面と略同様であり、図６に示すように、略平面の第一の壁部４２と、第一の壁部４２と平行に向かい合って配置された略平面の第二の壁部４４と、第一の壁部４２と第二の壁部４４の奥側の端部を連結する連結部４３と、を備えている。
【００４６】
第一の壁部４２には、図３と同様の構成の突起１５が形成され、第二の壁部４４には、図３と同様の構成の係止爪１６が形成されている。
また、ベースプレート２２には、予め背面にプレートカバー３１が縫着されている。プレートカバー３１の縦横の長さは、ベースプレート２２よりも若干大きく形成されている。プレートカバー３１は、ベースプレート２２の背面全体を被覆するように固着されると共に、図６に示すように、四方の端末が係止クリップ部４１の第一の壁部４２に沿って固定され、連結部４３付近に達している。この例の端末処理は前記実施例と同様である。
【図面の簡単な説明】
【００４７】
【図１】本発明の一実施形態に係る表皮材端末処理部材が適用される車両用シートの概略斜視図である。
【図２】本発明の一実施形態に係る表皮材端末処理部材が適用されるシートバックの側面図で、一部断面を示す図である。
【図３】図２の表皮材端末処理部材の要部拡大図である。
【図４】本発明の一実施形態に係る係止クリップの断面図である。
【図５】本発明の更に他の例に係る表皮材端末処理部材が適用されるシートバックの側面図で、一部断面を示す図である。
【図６】図５の表皮材端末処理部の要部拡大図である。
【図７】従来例を示す断面説明図である。
【符号の説明】
【００４８】
１  シートクッション
２  シートバック
３  ヘッドレスト
４  アームレスト
１０  表皮材端末処理部材
１１  係止クリップ
１２，４２  第一の壁部
１２ａ  厚肉部
１２ｂ  薄肉部
１２ｃ  先端
１３，４３  連結部
１４，４４  第二の壁部
１５  突起
１５ａ，１５ｂ  斜面
１５ｃ  頂線
１６  係止爪
１６ａ  内側の面
１７  係止プレート
１８  間隙
１９  開口
２１  フレーム
２２  ベースプレート
２３  クッション材
２４  表皮材
２４ａ  前面側表皮材
２４ｂ  背面側表皮材
２６ａ，２６ｂ  糸
３１  プレートカバー
４１  係止クリップ部
１０１  トリムカバー
１０１ａ  前面側端末
１０１ｂ  背面側端末
１０２  樹脂製フック
１０３  係合溝
１０４  係止爪
１０５  板状係止片
１０６  下部フレーム
１０７  係合部
１０８  係合ワイヤ
Ｓ  車両用シート
【図１】
2008188358.tif 000003
【図２】
2008188358.tif 000004
【図３】
2008188358.tif 000005
【図４】
2008188358.tif 000006
【図５】
2008188358.tif 000007
【図６】
2008188358.tif 000008
【図７】
2008188358.tif 000009